(57)【要約】【課題】連続ドラマ番組或いは連続番組の録画予約の及び録画の設定を容易にする。【解決手段】実施形態によれば、番組情報処理モジュールが、番組表及び番組の番組情報を格納する。そして録画予約処理モジュールが、画面に表示された前記番組表上の番組に対し連続番組録画予約の指定がされた場合、指定された連続番組の番組情報から録画予約情報を生成して格納し、前記連続番組が受信されている状況であれば、前記連続番組の録画開始を自動設定する。【選択図】図１
2013026857.tif 000002
【特許請求の範囲】
【請求項１】
画面に表示された番組表の番組に対し連続番組録画予約の指定がされた場合、指定された連続番組の番組情報から録画予約情報を生成し、前記連続番組が受信されている状況であれば、前記連続番組の録画開始を設定する録画予約処理モジュールを有する番組予約データ処理装置。
【請求項２】
前記録画予約処理モジュールは、
前記連続番組の番組情報から前記録画予約情報を生成するとき若しくはしたとき、前記連続番組が現在受信されているかどうかを判断する判断手段を含む請求項１記載の番組予約データ処理装置。
【請求項３】
前記録画予約処理モジュールは、
前記連続番組の録画予約の時間帯と重複した時間帯に、別番組が録画中であることを判定した場合、前記受信中の前記連続番組の録画をせず次回からの連続番組の録画予約を設定する否かの問い合わせする案内映像を出力する請求項２記載の番組予約データ処理装置。
【請求項４】
前記録画予約処理モジュールは、
前記連続番組の録画予約の時間帯と重複した時間帯に別番組が録画予約されていた場合、前記連続番組又は前記別番組の録画予約を取り消すか否かを問い合わせる案内映像を出力する請求項２記載の番組予約データ処理装置。
【請求項５】
前記連続番組が録画予約され、かつ前記受信されている前記連続番組が録画された場合、前記録画された前記連続番組を再放送番組で置換するための判定モジュールをさらに有する請求項２記載の番組予約データ処理装置。
【請求項６】
前記録画予約された番組の録画先は、記録再生処理モジュールを含む制御部にＵＳＢ接続された記録装置であることを特徴とする請求項２記載の番組予約データ処理装置。
【請求項７】
テレビジョン信号受信するチューナと、前記チューナの復調出力を処理してベースバンドの映像信号を出力する信号処理部と、前記映像信号及びグラフィック映像信号を表示部に出力するグラフィック処理部とを制御部で制御する番組予約データ処理方法であって、前記制御部が、
画面に表示された番組表上の番組に対し連続番組録画予約の指定がされた場合、指定された連続番組の番組情報から録画予約情報を生成し、前記連続番組が受信されている状況であれば、前記連続番組の録画開始を自動設定する
番組組予約データ処理方法。
【請求項８】
前記制御部は、前記連続番組の番組情報から前記録画予約情報を生成するとき若しくはしたとき、前記連続番組が現在受信されているかどうかを判断する請求項７記載の番組予約データ処理方法。
【発明の詳細な説明】
【技術分野】
【０００１】
本発明の実施形態は、番組予約データ処理装置及び方法に関する。
【背景技術】
【０００２】
一般に、映像信号の録画及び再生装置では、後日放送される番組を自動録画するために、録画予約情報を設定することができる。録画予約情報が設定された録画及び再生装置は、録画予約情報に含まれる予約日及び時間情報と予約番組情報を参照する。録画及び再生装置は、現在の日及び時刻が予約日及び時間になると、チューナに対して予約番組が含まれるチャンネル受信を実施し、受信し復調した前記予約番組のデータを記憶媒体に記録する。
【０００３】
上記した録画予約を行うための技術として、再放送される番組に対しても録画予約を行える技術がある。
【先行技術文献】
【特許文献】
【０００４】
【特許文献１】特開平１０−１６４４７６号公報
【特許文献２】特開平１０−２００８６５号公報
【発明の概要】
【発明が解決しようとする課題】
【０００５】
テレビジョン受信装置において、所望の番組の録画予約が実施される場合、通常は、以下のような処理が実行される。即ち、ユーザがリモートコントローラを操作し、例えば番組表の表示を指令するボタンを押す。すると、テレビジョン受信装置は、画面上に番組表を表示する。ユーザは、リモートコントローラを操作し、番組表上の所望の番組にカーソルを合わせる。このとき所望の番組を含むフレームがハイライトする。ユーザがリモートコントローラの決定ボタンを押すと、録画予約の対象として、当該所望の番組が特定される。続いて画面上には、録画予約を「する」、「しない」の選択項目が表示される。ユーザは、何れかの選択項目にカーソルを合わせ、決定ボタンを操作する。カーソルにより「する」が選択され、決定ボタンが押された場合、当該所望の番組の録画予約が行われる。カーソルにより「しない」が選択され、決定ボタンが押された場合、番組表の表示状態に戻る。
【０００６】
ところで、放送番組の種類としては連続番組（シリーズ番組、或いは連続ドラマ番組とも称してもよい）がある。例えば、毎週月曜日のＰＭ８：００−ＰＭ９：００に１時間放送されるような番組がある。あるいは、月曜から金曜の毎日ＡＭ６：３０−ＡＭ７：００に３０分間放送されるような番組がある。このタイプの番組の録画予約を行うために、連続番組録画予約機能がある。
【０００７】
連続番組録画予約機能を利用するためには、ユーザは、先の番組表上の連続番組の上にカーソルを移動させて、決定ボタンを押す。すると、例えば「録画する」、「連続ドラマ予約（連ドラ予約と記述場合もある）」などの項目が画面に表示される。ユーザが、「連続ドラマ予約」の項目にカーソルを合わせて、決定ボタンを押すと、選択した連続番組或いは連続ドラマ番組の録画予約が行われる。
【０００８】
ここで、現在時刻が、例えば月曜日のＰＭ８：３０であり、「連続ドラマ（第１話）番組」が放送されていたとする。このとき、ユーザが、「連続ドラマ予約」の項目にカーソルを合わせて、決定ボタンを押したとする。すると、選択した連続番組或いは連続ドラマ番組の録画予約が行われる。しかし、現在放送中の「連続ドラマ（第１話）番組」は、録画されず、次回（つまり来週の月曜日）からの「連続ドラマ（第２話）番組」から予約録画されるのが通常である。
【０００９】
このために、ユーザが現在放送中の「連続ドラマ（第１話）番組」も録画したいと思う場合は、先の番組表上の連続番組の上にカーソルを移動させて、決定ボタンを押し、「録画する」、「連続ドラマ予約」の項目が画面に表示させる。そして、「録画する」を選択して、決定ボタンを押すことで、現在放送中の「連続ドラマ（第１話）」の録画を実行させることができる。
【００１０】
上記のように「連続ドラマ番組」の録画を行う場合は、録画設定の操作を２回必要とする場合がある。
【００１１】
そこで本実施形態では、連続ドラマ番組或いは連続番組の録画予約の及び録画の設定を容易にすることができる番組予約データ処理装置及び方法を提供することを目的とする。
【課題を解決するための手段】
【００１２】
実施形態によれば、画面に表示された番組表の番組に対し連続番組録画予約の指定がされた場合、指定された連続番組の番組情報から録画予約情報を生成して格納し、前記連続番組が受信されている状況であれば、前記連続番組の録画開始を自動設定する録画予約処理モジュールを有する。
【図面の簡単な説明】
【００１３】
【図１】一実施形態のテレビジョン受信装置の代表的な構成例を示すモジュール図である。
【図２】図１のテレビジョン受信装置を操作するために用いられるリモートコントローラの代表的な外観図である。
【図３】図１のテレビジョン受信装置の映像表示部に表示された番組表の代表的な例を示す図である。
【図４】番組の録画予約が行われるときに画面に表示された、操作案内映像の代表的な例を示す図である。
【図５】連続番組の録画予約が行われるときに画面に表示された、操作案内映像の代表的な例を示す図であり、受信中の連続番組も録画が開始される例である。
【図６】連続番組の録画予約が行われるときに画面に表示された、操作案内映像の代表的な例を示す図であり、予約のために選択した番組とすでに予約されている他の番組の予約時間帯が重複したときの例である。
【図７】連続番組の録画予約が行われるときに画面に表示された、操作案内映像の代表的な例を示す図であり、予約のために選択した番組とすでに予約されている他の番組の予約時間帯が重複したときの他の例である。
【図８】連続番組の録画予約が行われるときに制御部において実行される動作手順の代表的な例を示すフローチャートである。
【図９】録画された複数の連続番組に一部未完録画のものが有った場合に、未完録画の番組を完全録画の番組に置き換えるための動作手順の代表的な例を示す図である。
【発明を実施するための形態】
【００１４】
以下、実施の形態について図面を参照して説明する。図１は、テレビジョン放送受信装置４１の主要な信号処理系を示している。本発明は、テレビジョン放送受信装置４１の限定されるものではなく、情報記録再生装置にも適用可能であるが、ここでは、テレビジョン放送受信装置４１を代表して説明する。
【００１５】
ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１６】
チューナ４５で選局された放送信号は、ＰＳＫ（Phase Shift Keying）復調器４６に供給されて、デジタルの映像信号及び音声信号に復調された後、信号処理部４７に出力される。
【００１７】
地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１８】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００１９】
また地上波アナログ信号を受信するアナログチューナ５８も設けられている。アナログチューナ６８で受信された信号は、アナログ復調器５９で復調され信号処理部４７に出力される。
【００２０】
ここで、信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。例えば、信号処理部４７は、入力した信号が符号化されている場合は、復号化処理を実施し、ベースバンドのデジタル映像信号及びオーディオ信号を出力することができる。逆に、ベースバンドのデジタル映像信号及びオーディオ信号を符号化して記録用のデジタル信号を得ることもできる。
【００２１】
グラフィック処理部５２は、信号処理部４７から供給されるデジタルの映像信号に、ＯＳＤ（On Screen Display）信号生成部５４で生成されるＯＳＤ信号を重畳して出力する機能を有する。また、グラフィック処理部５２は、信号処理部４７の出力映像信号と、ＯＳＤ信号生成部５４の出力ＯＳＤ信号とを選択的に出力することができる。また、グラフィック処理部５２は、両出力をそれぞれ画面の半分を構成するように組み合わせて出力することができる。
【００２２】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力する。
【００２３】
音声処理部５３は、入力されたデジタルの音声信号を、スピーカ１５で再生可能なフォーマットのアナログ音声信号に変換し、スピーカ１５に出力する。
【００２４】
このデジタルテレビジョン放送受信装置１１は、上記した各種の受信動作を含むその全ての動作を制御部６１によって統括的に制御されている。
【００２５】
制御部６１は、ＣＰＵ（Central Processing Unit）（図示せず）等を内蔵している。操作部７１からの操作情報を受けたとき、または、リモートコントローラ７２から送出された操作情報を、受光部７３を介して受信したとき、制御部６１は、その操作内容が装置に反映されるように各部をそれぞれ制御している。
【００２６】
制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３等を利用している。
【００２７】
制御部６１は、変調・復調器７０を介して、外部ネットワーク（例えばインターネット）と接続可能である。従って制御部６１は、外部ネットワークを介してプロバイダーのサーバーをアクセスし、該サーバーから各種の情報を取得することができる。
【００２８】
制御部６１は、カードＩ／Ｆ（Interface）７５を介して、メモリカード７７が装着可能なカードホルダ７６に接続されている。これによって、制御部６１は、メモリカード７７と通信を行ない、情報の記録再生を行うことができる。
【００２９】
制御部６１は、通信Ｉ／Ｆ８１を介してＬＡＮ端子８２に接続されている。これにより、制御部６１は、ＬＡＮ端子２１に接続されたＬＡＮ対応の機器（例えば録再装置、ＨＤＤなど）と、通信を行ない、情報の記録再生を行うことができる。この場合、制御部６１は、ＤＨＣＰ（Dynamic Host Configuration Protocol）サーバー機能を有し、ＬＡＮ端子８２に接続されたＬＡＮ対応の機器にＩＰ（Internet Protocol）アドレスを割り当てて制御している。
【００３０】
制御部６１は、ＵＳＢ Ｉ／Ｆ８３を介してＵＳＢ端子８４に接続されている。これにより、制御部６１は、ＵＳＢ端子８４に接続された各機器（例えばハードディスクドライブ（ＨＤＤ）９１）と、通信を行ない、情報の記録再生を行うことができる。また制御部６１は、ＨＤＭＩ Ｉ／Ｆ８７を介してＨＤＭＩ端子８８に接続されている。これにより、制御部６１は、ｉ．ＨＤＭＩ端子８８に接続された各機器（例えばＤＶＤ録再装置、ブルーレイ録再装置などの録再機器９２など）と通信を行い、情報の記録再生を行なうことができる。
【００３１】
制御部６１は、記録再生処理モジュール６３０を含む。記録再生処理モジュール６３０は、上記ＨＤＤ９１或いは録再機器９２に情報が記録されるとき、及び上記ＨＤＤ９１或いは録再機器９２から情報が再生されるときに主となって記録再生動作の制御を行う。記録再生処理モジュール６３０は、記録信号をＨＤＤ９１、録再機器９２の記録フォーマットに適したフォーマットに変換することができる。またＨＤＤ９１、録再機器９２からの再生信号を信号処理部４７で処理できるようにフォーマット変換することができる。
【００３２】
制御部６１は、明るさセンサー７８と接続されている。制御部６１は、明るさセンサー７８の明るさ検出信号に応じて、例えば輝度調整、画面の明るさ調整、バックライトの調光などを行うことができる。
【００３３】
制御部６１は、カメラ７９と接続されている。制御部６１は、カメラ７９からの画像信号を取り込み、画像信号を各種の処理のために利用することができる。
【００３４】
制御部６１は、電子番組案内（ＥＰＧ）データベース６２１、番組情報処理モジュール６２２を含む。
【００３５】
ＥＰＧデータは、放送番組信号とともに送られてくる付加情報（属性情報と称しても良い）である。付加情報は、番組の放送局情報、番組固有のＩＤ，番組、番組のジャンル、番組の内容を簡略化して記述したデータ、番組の放送開始時刻、放送時間の長さ、番組の製作者、製作者のコメントなどを含む場合がある。このようなＥＰＧデータがＥＰＧデータベース６２１として構築されている。
【００３６】
番組情報処理モジュール６２２は、ＥＰＧデータを用いて、図２に示すような番組表１１１を作成することができる。また後述するように、番組情報に関する各種の表示出力を生成することができる。
【００３７】
制御部６１は、操作入力処理モジュール６２３を有する。操作入力処理モジュール６２３は、操作部７１及びリモートコントローラ７２から与えられる指令に応答して、装置全体の応答動作に反映させる。例えば、カーソルの移動動作、決定指令への応答、録画予約情報の生成、などである。
【００３８】
制御部６１は、判定モジュール６２４を有する。判定モジュール６２４は、装置動作に必要な各種の論理判定要素を含む。また制御部６１は、録画予約処理モジュール６２５を有する。録画予約処理モジュール６２５は、番組録画予約情報の生成、格納、読出し、及び録画予約の設定などの処理を行う。判定モジュール６２４は、装置動作に必要な各種の論理判定を、ＥＰＧデータベース６２１、番組情報処理モジュール６２２、操作入力処理モジュール６２３、録画予約処理モジュール６２５、記録再生処理モジュール６３０、などと協働して行う。
【００３９】
図２は、リモートコントローラ７２の一例を示している。リモートコントローラ７２は、電源スイッチ２０１を有し、この電源スイッチ２０１を押すことで、待機状態のテレビジョン受信装置がオフからオン、或いはオンからオフ状態に移行する。２０２は地上デジタル放送を受信したい場合に操作される地デジボタンであり、２０３は衛星放送を受信したい場合に操作されるＢＳボタン、２０４は、通信衛星放送を受信したい場合に操作されるＣＳボタンである。
【００４０】
２０５は、１−１２チャンネルの受信チャンネル選択ボタンである。受信チャンネルは、チャンネル切換ボタン２０６を操作しても切り換えることができる。２１１は、音量調整ボタンである。３００は番組表ボタンであり、このボタンを操作すると、番組表の表示を得ることができる。３１１，３１２，３１３，３１４は、ページ切換ボタンであり、それぞれのボタン操作に応じて、表示されているテーブルの上又は下方向、左または右方向へのページ切換を得ることができる。３０２は、カーソル移動ボタンであり、カーソルを画面上で上又は下方向、左または右方向へ移動制御することができる。所望の位置へカーソルが位置したとき、決定ボタン３０２を押すことができる。決定ボタン３０２が押されたとき、カーソルに選択された項目が意味する動作が、装置に反映される。
【００４１】
Ｂ，Ｒ，Ｇ，Ｙボタンは、青、赤、緑及び黄の色つきのボタンであり、各状態において一括操作のために利用することができる。このボタンの操作案内は、画面上で行われる。
【００４２】
図３は、ボタン３００を操作して、テレビジョン放送受信装置４１の映像表示部５７の画面に番組表４００が表示された様子を示している。
【００４３】
番組表４００の上部右側には、現在の日と時刻（この例は、７月２１日木曜、午後３時１３分）が表示される（４０１）。番組表４００の上部中央には、表示されている番組表４００が、７月２１日、木曜対応のものであることを示している（４０２）。また番組表４００の上部左側には、番組表が地上デジタル放送の番組表であることを示している（４０３）。
【００４４】
番組表４００の左側の縦方向には、時間（ＰＭ３−ＰＭ８）が示されている（４０４）。また番組表４００は、チャンネルごとに仕切られている。この例では、チャンネル１，２，６，７，及び８が示されている（４０５−４１１）。
【００４５】
なお番組表４００に示されている「ＡＢＸ−ＴＶ」、「ＣＤ−ＴＶ」、「ＨＪＫ−ＴＶ」、「ＬＭＭ−ＴＶ」は、テレビ局の称号の例である。
【００４６】
番組表４００において、各番組のパーティションエリアには、番組名、番組の案内などが記述されている。
【００４７】
また番組表４００の上で、録画予約されている番組がある場合には、予約されている番組の区画の例えば左側に赤いラインが表示される。この番組表４００の例であると、ＰＭ６時−ＰＭ７時までテレビ局ＡＢＸ−ＴＶで放送される番組「子供の広場」という番組が録画予約されている（ライン４２４）。またＰＭ５時−ＰＭ６時までテレビ局ＣＤＥ−ＴＶで放送される番組「歴史Ａ」という番組が録画予約されている（ライン４２５）。
【００４８】
上記の番組表４００は、画面上に現れているのは一部であり、ページ切換ボタンを操作することにより、上、又は下、又は左、又は右側に隠れている番組表を表示状態にすることができる。この操作を行うための案内マーク４３５が表示されている。またＢ，Ｒ，Ｇ，Ｙボタンを操作すると、どのような動作が得られるかが記述されている。
【００４９】
次に録画予約処理モジュール６２５が主導となって動作する各種の録画予約について説明する。
【００５０】
録画予約の種類として連続ドラマなどのシリーズ番組や連日放送されている同じ番組などがあり、本装置は、このような連続番組を毎回自動的に録画することができるように予約することができる。例えば追跡基準（指定された番組の放送曜日と開始時刻）と、追跡キーワード（番組名など）をもとに次回の番組が検索されて自動的に録画予約がなされる。必ずしも限定される訳ではないが、この連続番組録画予約は、以下のように行われる。
【００５１】
連続ドラマなどを連続番組録画予約する場合、番組表から予約する場合と、視聴中の連続ドラマを予約することができる。
【００５２】
番組表から予約する場合は、リモートコントローラの番組表ボタン３００が押されると、番組表が表示される。カーソル移動ボタン３０２でカーソルを移動させて、予約する番組（連続番組：連続ドラマ、シリーズ番組など）を選択し、決定ボタン３０１を押す。次にカーソル移動ボタン３０２でカーソルを移動させて、番組の録画先を、ＵＳＢハードディスク、或いは内蔵ハードディスクに設定する。次に、番組指定予約画面において、カーソル移動ボタン３０２で「連続番組予約或いは連続ドラマ予約」と表示された項目を選択し、決定ボタン３０１を押す。すると、例えば「連続ドラマ予約」という画面に切換る。この画面では、予約しようとする番組の番組名、予約される日時などが表示されるので、正しいかどうかを確認する。画面では、連続ドラマ予約をしますか？というコメントと、「はい」、「いいえ」の選択項目が表示される。ここでユーザが、カーソル移動ボタン３０２で「はい」を選択し、決定ボタン３０１を押すと、連続ドラマの予約が行われる。
【００５３】
また視聴中の番組が連続ドラマであった場合、視聴中の番組を連続番組予約する場合は、例えば、リモートコントローラのクイックボタンを押すと、番組指定予約画面が表示される。この後は、上記と同様に、録画先を設定すると、「連続ドラマ予約」の画面が表示される。以後は、上記説明した通りである。
【００５４】
以下さらに図面を参照して概要を説明する。図４は、図３の番組表を参照して例えば、テレビ局ＡＢＸ−ＴＶの放送番組（連続ドラマ）「リンカーン」を連続番組録画予約する場合の画面上の案内項目の例を示している。
【００５５】
ユーザは、リモートコントローラ操作により、図３の番組表４００の上でカーソルを移動させて、「リンカーン」の番組が表示された領域に位置させる。次に、リモートコントローラの決定ボタンを押すと、図４の上側に示す画面が表れる。この画面には、番組「リンカーン」の表示領域７０２、放送方式「地上デジタル放送」の表示領域７０３、放送局名「ＡＢＸ−ＴＶ」の表示領域７０４、放送日時の表示領域７０５、番組に関するコメント表示領域７０６が設けられている。また、この番組を単なる録画予約するのか、連続番組録画予約するのか、を選択するための領域７１０、７１１が設けられている。さらにまた、録画先として、ハードディスク、外部レコーダのいずれを設定するのかを決める領域７１３、７１４が設けられている。
【００５６】
今、ユーザが連続番組録画予約を設定し、リモートコントローラの決定ボタンを押すと、図４の下段の画面に変化する。この画面には、現在の画面が連続番組録画予約の画面であることを示す領域７３１、番組の領域７３２、この番組が連続して放送される日時情報の領域７３３、録画先を示す領域７３４、連続番組録画予約を行うのか行わないのかを決定させるためのボタンの領域７３６、７３７、７３８が表示されている。
【００５７】
ユーザが、領域７３７にカーソルを合わせて決定ボタンを操作すると、「リンカーン」の連続番組録画予約が設定される。この連続番組録画予約が設定されると、図３のライン４２４と同様に、予約された番組「リンカーン」の区画の左側にも赤いラインが表示される。
【００５８】
図５は、図３の番組表を参照して例えば、テレビ局ＬＭＭ−ＴＶの放送番組（連続ドラマ）「野球少年」を連続番組録画予約する場合の画面上の案内項目の例を示している。
【００５９】
ユーザは、リモートコントローラを操作し、図３の番組表４００の上でカーソルを移動させて、番組「野球少年」が表示された領域に合わせる。次に、リモートコントローラの決定ボタンを押すと、図５の上側に示す画面が表れる。
【００６０】
この画面では、表示領域７０２に番組「野球少年」、表示領域７０３に放送方式「地上デジタル放送」、表示領域７０４に放送局名「ＬＭＭ−ＴＶ」、表示領域７０５に放送日時、コメント表示領域７０６に番組に関するコメントが表示される。また、この番組を単なる録画予約するのか、連続番組録画予約するのか、を選択するための領域７１０、７１１が表れる。また、現在の状態は、「野球少年」が放送されている時間帯であることから、単に視聴するだけであるのかをユーザに問い合わせるコメント領域７５１が設定されている。
【００６１】
さらにまた、録画先として、ハードディスク、外部レコーダのいずれを設定するのかを決める領域７１３、７１４も表れる。
【００６２】
今、ユーザが連続番組録画予約を設定し、リモートコントローラの決定ボタンを押すと、図５の下段の画面に変化する。この画面には、現在の画面が連続番組録画予約の画面であることを示す領域７３１、番組名の領域７３２、この番組が連続して放送される日時情報の領域７３３、録画先を示す領域７３４、連続番組録画予約を行うのか行わないのかを決定させるためのボタンの領域７３６、７３７、７３８が表示されている。
【００６３】
ここでユーザが、連続番組録画予約を設定するための領域７３７にカーソルを合わせて、決定ボタンを押したとする。すると、「野球少年」の連続番組録画予約情報が作成されて、録画予約の設定が行われる。またこの装置では、現在放送中の番組「野球少年」も録画が開始され、録画番組として録画リストに登録される。
【００６４】
上記したように、この実施形態では、異なる日に放送される連続番組を録画するための連続番組録画予約を行うことができる。この場合、録画予約を行った時間が、すでに連続番組の放送時間帯内であった場合、連続番組録画予約の設定操作により、放送中の連続番組の録画も自動的に行うことができる。つまり、ユーザは、現在放送中の連続番組を録画するための操作と、他の日に放送される連続番組を録画するための録画予約操作とを別々に行う必要がない。
【００６５】
図６は、録画予約しようとする番組の放送時間帯が、別の録画予約済みの番組の放送時間帯と重複した場合に表示される画面の例である。
【００６６】
今ユーザが、図３の番組表の、例えば、番組「旅人」の番組を録画予約しようと試みるとする。番組が指定されると、図６の上断の画面が表示される。ユーザが、連続番組録画予約を行いたい場合、ユーザは、リモートコントローラを操作し、領域７１１のボタンを選択して、決定ボタンを操作する。
【００６７】
すると、図６の下段の画面が表示される。このケースでは、番組「旅人」は、番組「子供の広場」と放送時間帯が重複する。しかも番組「子供の広場」は、既に録画予約が設定されている。このために、警告を表すコメントが領域７５５に表示される。コメントは、例えば「他の番組の録画実行中のため、連続番組は、次回からのものを予約設定します」という内容のコメントである。そして、このコメントの下側に、連続番組の録画予約を決定するためのボタンが領域７３７に表示される。ユーザが、「はい」の領域７３７にカーソルを合わせて決定ボタンを操作すると、次回放送の「旅人」から連続番組録画予約が設定される。ユーザが、「いいへ」の領域７３８にカーソルを合わせて決定ボタンを操作すると、たとえば番組表の表示状態に戻る。
【００６８】
図７は、録画予約しようとする番組の放送時間帯が、別の録画予約済みの番組の放送時間帯と重複した場合に表示される画面の他の例である。
【００６９】
先の図６の実施形態の場合は、図６の上段の画面の表示状態で、連続番組録画予約の設定が行われると、図６の下段の画面が表れる。この画面では、連続番組は、次回の放送からの録画予約となる。これに対して、図７の実施形態は、連続番組録画予約の設定が行われると、図７の上段の画面が表れる。この画面では、コメントとして「設定した時間帯はこれ以上予約ができません。重複している予約の確認/取り消しを行いますか？」という案内が表示される（領域７６１）。また応答用のボタンとして「はい」と「いいえ」が表示される（領域７６２、７６３）。
【００７０】
ここでユーザが、リモートコントローラを操作し、カーソルを移動させて、「はい」を選択し、決定ボタンを押すと、図７の下段のような画面が表示される。この画面では、ユーザが録画予約を行おうとしている番組名が領域７６５に表示され、放送される日時が領域７６６に表示される。
【００７１】
また、重複予約関係にある番組情報（番組名、放送時間帯、録画先など）が、領域７６８、７６９に並べて表示される。
【００７２】
上記の例では、番組「旅人」の情報が、番組「子供の広場」の情報とともに並べて表示される。これにより、ユーザは、重複予約関係にある番組を確認することができる。またこの画面では、リモートコントローラの、例えば「「赤」のボタンを押すと、予約の取り消しが実行される」というコメントが表示される。これにより、ユーザは、番組「旅人」または「子供の広場」の何れか一方の録画予約の取り消しを行うことが可能である。何れかの番組の項目を選択し、取り消しを行った場合、例えば、画面は、番組表の表示状態に戻る。そして取り消しを行っていない番組の録画予約が実施される。
【００７３】
また、図７の上段の画面において、つまり、「設定した時間帯はこれ以上予約ができません。重複している予約の確認/取り消しを行いますか？」という案内が表示された場合、ユーザが「いいえ」を選択すると、画面は、図６の下段の画面に戻っても良いし、番組表の表示状態に戻ってもよい。なお図６で説明した動作と図７で説明した動作は、相互に連携してもよい。
【００７４】
図８は、図６及び図７で説明した動作を簡略化して示すフローチャートである。この動作は制御部６１の主導で行われる。
【００７５】
テレビジョン放送受信装置４１に対して、リモートコントローラ７２から番組表の表示要求の指令が与えられると、番組表が表示される（ステップＳＡ１−ＳＡ３）。次にリモートコントローラ７２から録画予約の決定ボタンが押されることで、録画予約の指令が入力すると、予約時間帯に重複予約番組が有るかどうかの判定がなされる（ステップＳＡ４、ＳＡ５）。このときは、新しく生成された録画予約情報と録画リスト内の録画予約情報が参照される。
【００７６】
予約時間帯に重複予約番組がない場合、予約番組は現在放送中であるのかどうかの判定がなされる（ステップＳＡ６）。予約番組が放送中でない場合は、この予約番組に対する録画予約情報が、録画リストに追加保存され、録画予約情報の更新及び録画予約の設定が行われる（ステップＳＡ８，ＳＡ９）。ステップＳＡ６において、予約番組が現在放送中であることが判断されると、放送中の番組の録画を開始設定する（ステップＳＡ７）とともに、録画予約情報が、録画リストに追加保存され、録画予約情報の更新及び録画予約の設定が行われる（ステップＳＡ８，ＳＡ９）。
【００７７】
ステップＳＡ５において、予約時帯に重複予約番組があった場合、コメントが表示される（ステップＳＡ１１）（このコメントは、図７の上段の画面を説明するときに説明した）。ここで重複している予約の確認・取り消しを行わないという旨の選択「いいえ」が行われると、図６の下段の画面が表示される（ステップＳＡ１２）。次に録画予約を行う旨の選択「はい」が行われると、ステップＳＡ８，ＳＡ９（録画予約情報の更新及び録画予約の設定が行われる）に移行する。図６の下段の画面で録画予約を行わない旨の選択「いいえ」が行われると、ステップＳＡ３に戻り、番組表の表示状態となる。
【００７８】
予約番組に対して重複予約番組が存在し、図７の上段の画面で、重複している予約の確認/取り消しを行う旨の選択「はい」が行われると、図７の下段の画面が表示される（ステップＳＡ１３）。図７の下段の画面の状態で何れかの番組の録画予約を取り消す操作が行われると（ステップＳＡ１４）、予約取り消しが実行され（ステップＳＡ１５）、次に番組表が表示される。図７の下段の画面の状態で戻るボタンの操作があると、図６の下段の画面に移行する。
【００７９】
図９はさらに本装置に追加されてもよい実施例である。図６で説明したように、連続番組が録画予約され、録画が実行された場合、未完録画の番組が存在する場合がある。本実施例は、未完録画の番組が再放送されるかどうかを判定し、再放送される場合は、再放送番組のための録画予約情報を作成し、録画予約情報を録画予約リストに追加することができる。
【００８０】
ＥＰＧデータベース６２２は、複数の番組の番組情報を含む。番組情報には、番組を放送するテレビ局名、番組名（連続番組か非連続番組かを示す情報も含む）、また番組の属性情報（ジャンル、番組制作監督、出演者名など）、再放送であるかどうかの識別情報も含まれる。
【００８１】
一方、番組情報に基づいて作成された、録画予約リスト内の番組情報も、番組を放送するテレビ局名、番組名（連続番組か非連続番組かを示す情報も含む）、また番組の属性情報（ジャンル、番組制作監督、出演者名など）、再放送であるかどうかの識別情報を含む。また番組情報には、放送時間帯、放送時間長の情報も含まれる。さらにこの装置の番組情報は、対応する番組が、完全録画されているか、未完録画されているかを示すフラグも含む。
【００８２】
判定モジュール６２５は、連続番組に対する追跡処理器を含む。追跡処理器は、連続番組が録画予約されたとき、当該連続番組が放送される曜日、日時をＥＰＧデータベースの中で検索し、連続番組の録画予約情報をテーブル化して作成することができる。作成された録画予約情報は、録画予約リストに登録される。
【００８３】
さらに判定モジュール６２５は、先に説明したように、未完録画の番組の存在を録画リストの情報から検出する。次に、未完録画の番組が、再放送されるかどうかを、ＥＰＧデータベース６２２の中から検出することができる。未完録画の番組が、再放送されることを検出した場合、判定モジュール６２５は、未完録画の番組に対して、再放送録画予約情報を作成し、録画予約リストの更新を行うことができる。これにより、未完録画の番組が、再放送されたときは、完全録画番組として収録されることになる。
【００８４】
上記の判定モジュール６２５は、未完録画の番組の存在を録画リストの情報から検出したとき、番組の放送時間長の何パーセントが録画未完、或いは録画済みであるかを判定してもよい。そして、８０％以上（若しくは任意のパーセントでユーザが決めることができる）が録画済みであれば、再放送は録画しないというように設定されていてもよい。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
４１・・・テレビジョン放送受信装置、４５、５０、５８・・・チューナ、４６、５１、５９・・・復調器、４７・・・信号処理部、５３・・・音声処理部、５５・・・映像処理部、５６・・・スピーカ、５７・・・映像表示部、６１・・・制御部、７１・・・操作部、７２・・・リモートコントローラ、９１・・・ハードディスクドライブ、９２・・・録再機器、６２１・・・ＥＰＧデータベース、６２２・・・番組情報処理モジュール、６２３・・・操作入力処理モジュール、６２４・・・判定モジュール、６２５・・・録画予約処理モジュール、６３０・・・記録再生処理モジュール。
【図１】
2013026857.tif 000003
【図２】
2013026857.tif 000004
【図３】
2013026857.tif 000005
【図４】
2013026857.tif 000006
【図５】
2013026857.tif 000007
【図６】
2013026857.tif 000008
【図７】
2013026857.tif 000009
【図８】
2013026857.tif 000010
【図９】
2013026857.tif 000011